(57)【要約】【課題】スケールの発生を抑制できる晶析設備を提供する。【解決手段】晶析設備１は、原液と母液と規格外結晶とを混合する混合槽１１と、混合液から晶析対象成分を晶析する晶析装置１２と、晶析装置１２から排出されたスラリーを結晶と母液とに固液分離する固液分離装置１４と、結晶を規格内結晶と規格外結晶とに分級する分級装置１６と、混合槽１１内の混合液の温度を調整する温度調整装置１７とを備える。混合液の温度を低くすれば規格外結晶の溶解が抑制され、晶析装置１２に供給される種晶の数を増やすことができ、スケールの発生を抑制できる。【選択図】図１
2019156654.tif 000002
【特許請求の範囲】
【請求項１】
晶析対象成分の溶液である原液と、母液と、規格外の粒径を有する規格外結晶とを混合する混合槽と、
前記混合槽から排出された混合液が供給され、該混合液から晶析対象成分を晶析する晶析装置と、
前記晶析装置から排出されたスラリーを結晶と前記母液とに固液分離する固液分離装置と、
前記固液分離装置で得られた前記結晶を、規格内の粒径を有する規格内結晶と前記規格外結晶とに分級する分級装置と、
前記混合槽内の前記混合液の温度を調整する温度調整装置と、を備え、
前記固液分離装置で得られた前記母液は前記混合槽に供給され、
前記分級装置で得られた前記規格外結晶は前記混合槽に供給される
ことを特徴とする晶析設備。
【請求項２】
前記温度調整装置は前記混合液を冷却する冷却装置である
ことを特徴とする請求項１記載の晶析設備。
【請求項３】
前記温度調整装置は前記混合液を加熱する加熱装置である
ことを特徴とする請求項１記載の晶析設備。
【請求項４】
前記原液は硫酸ニッケル水溶液である
ことを特徴とする請求項１、２または３記載の晶析設備。
【請求項５】
晶析対象成分の溶液である原液と、母液と、規格外の粒径を有する規格外結晶とを混合槽で混合し、
前記混合槽から抜き出した混合液を晶析装置に供給し、該混合液から晶析対象成分を晶析し、
前記晶析装置から抜き出したスラリーを結晶と前記母液とに固液分離し、
固液分離により得られた前記結晶を、規格内の粒径を有する規格内結晶と前記規格外結晶とに分級し、
固液分離により得られた前記母液を前記混合槽に供給し、
分級により得られた前記規格外結晶を前記混合槽に供給し、
前記混合槽内の前記混合液の温度を調整する
ことを特徴とする晶析方法。
【請求項６】
前記混合槽内の前記混合液を冷却する
ことを特徴とする請求項５記載の晶析方法。
【請求項７】
前記混合槽内の前記混合液を加熱する
ことを特徴とする請求項５記載の晶析方法。
【請求項８】
前記原液は硫酸ニッケル水溶液である
ことを特徴とする請求項５、６または７記載の晶析方法。
【発明の詳細な説明】
【技術分野】
【０００１】
本発明は、晶析設備および晶析方法に関する。さらに詳しくは、本発明は、例えば硫酸ニッケル結晶を得るのに用いられる晶析設備、および硫酸ニッケル結晶の晶析方法に関する。
【背景技術】
【０００２】
晶析設備の操業を継続するにしたがい、晶析装置の内壁、熱交換器の伝熱面などに結晶が固着する（以下、この固着した結晶のことをスケールと称することがある。）。そのため、晶析設備は定期的に操業を停止してスケールを除去する必要がある。スケールの除去は洗缶操作により行なわれる。洗缶操作は晶析装置内へ温水を供給して液温を上昇させつつ撹拌を行なう操作である。固着した結晶を洗缶操作により溶解し除去できる。洗缶操作には長時間、例えば１０時間を要する。そのため、洗缶操作の頻度が高いと、操業停止時間が長くなり、晶析設備の実稼働率が低下する。また、晶析設備の通常操業では晶析装置内のスラリーを加熱して濃縮する。洗缶操作を行なうと、濃縮されたスラリーを希釈溶解し、その後に改めて加熱による濃縮操作を行なうことになる。そのため、洗缶操作の頻度が高いと、余分なエネルギーを消費することになる。
【０００３】
そこで、晶析設備におけるスケールの発生を抑制することが求められている。例えば、特許文献１には、硫酸ニッケルの晶析設備において、原液のニッケル濃度を所定範囲に調整することで、スケールの発生を抑制することが開示されている。
【０００４】
また、一般に、晶析設備で製造される結晶には、製品として適正な粒径が設定されている。適正な粒径に満たない粒径の結晶は晶析設備内で繰り返し処理される。そのため、晶析装置において適正な粒径の結晶を効率よく生成し、規格外結晶を減少させれば、晶析設備の操業効率が高くなる。
【先行技術文献】
【特許文献】
【０００５】
【特許文献１】特開２０１６−２９０１７号公報
【発明の概要】
【発明が解決しようとする課題】
【０００６】
上記事情に鑑み、本発明はスケールの発生を抑制できる晶析設備および晶析方法を提供することを目的とする。または、本発明は適正な粒径の結晶を効率よく製造できる晶析設備および晶析方法を提供することを目的とする。
【課題を解決するための手段】
【０００７】
第１発明の晶析設備は、晶析対象成分の溶液である原液と、母液と、規格外の粒径を有する規格外結晶とを混合する混合槽と、前記混合槽から排出された混合液が供給され、該混合液から晶析対象成分を晶析する晶析装置と、前記晶析装置から排出されたスラリーを結晶と前記母液とに固液分離する固液分離装置と、前記固液分離装置で得られた前記結晶を、規格内の粒径を有する規格内結晶と前記規格外結晶とに分級する分級装置と、前記混合槽内の前記混合液の温度を調整する温度調整装置と、を備え、前記固液分離装置で得られた前記母液は前記混合槽に供給され、前記分級装置で得られた前記規格外結晶は前記混合槽に供給されることを特徴とする。
第２発明の晶析設備は、第１発明において、前記温度調整装置は前記混合液を冷却する冷却装置であることを特徴とする。
第３発明の晶析設備は、第１発明において、前記温度調整装置は前記混合液を加熱する加熱装置であることを特徴とする。
第４発明の晶析設備は、第１、第２または第３発明において、前記原液は硫酸ニッケル水溶液であることを特徴とする。
第５発明の晶析方法は、晶析対象成分の溶液である原液と、母液と、規格外の粒径を有する規格外結晶とを混合槽で混合し、前記混合槽から抜き出した混合液を晶析装置に供給し、該混合液から晶析対象成分を晶析し、前記晶析装置から抜き出したスラリーを結晶と前記母液とに固液分離し、固液分離により得られた前記結晶を、規格内の粒径を有する規格内結晶と前記規格外結晶とに分級し、固液分離により得られた前記母液を前記混合槽に供給し、分級により得られた前記規格外結晶を前記混合槽に供給し、前記混合槽内の前記混合液の温度を調整することを特徴とする。
第６発明の晶析方法は、第５発明において、前記混合槽内の前記混合液を冷却することを特徴とする。
第７発明の晶析方法は、第５発明において、前記混合槽内の前記混合液を加熱することを特徴とする。
第８発明の晶析方法は、第５、第６または第７発明において、前記原液は硫酸ニッケル水溶液であることを特徴とする。
【発明の効果】
【０００８】
第１発明によれば、温度調整装置により混合液の温度を調整できる。混合液の温度を低くすれば規格外結晶の溶解が抑制され、晶析装置に供給される種晶の数を増やすことができ、スケールの発生を抑制できる。混合液の温度を高くすれば規格外結晶の溶解が促進され、晶析装置に供給される種晶の数を減らすことができ、晶析装置から排出されるスラリー中の結晶の粒径を大きくすることができる。
第２発明によれば、冷却装置により混合液の温度を低くできる。混合液に含まれる規格外結晶の溶解が抑制され、晶析装置に供給される種晶の数を増やすことができ、スケールの発生を抑制できる。
第３発明によれば、加熱装置により混合液の温度を高くできる。混合液に含まれる規格外結晶の溶解が促進され、晶析装置に供給される種晶の数を減らすことができ、晶析装置から排出されるスラリー中の結晶の粒径を大きくすることができる。
第４発明によれば、硫酸ニッケル結晶の製造において、スケールの発生を抑制でき、また、適正な粒径の結晶を効率よく製造できる。
第５発明によれば、混合液の温度を低くすれば規格外結晶の溶解が抑制され、晶析装置に供給される種晶の数を増やすことができ、スケールの発生を抑制できる。混合液の温度を高くすれば規格外結晶の溶解が促進され、晶析装置に供給される種晶の数を減らすことができ、晶析装置から排出されるスラリー中の結晶の粒径を大きくすることができる。
第６発明によれば、混合液に含まれる規格外結晶の溶解が抑制され、晶析装置に供給される種晶の数を増やすことができ、スケールの発生を抑制できる。
第７発明によれば、混合液に含まれる規格外結晶の溶解が促進され、晶析装置に供給される種晶の数を減らすことができ、晶析装置から排出されるスラリー中の結晶の粒径を大きくすることができる。
第８発明によれば、硫酸ニッケル結晶の製造において、スケールの発生を抑制でき、また、適正な粒径の結晶を効率よく製造できる。
【図面の簡単な説明】
【０００９】
【図１】本発明の一実施形態に係る晶析設備の説明図である。
【図２】原液のニッケル濃度と積算蒸気量との関係を示すグラフである。
【発明を実施するための形態】
【００１０】
つぎに、本発明の実施形態を図面に基づき説明する。
図１に示すように、本発明の一実施形態に係る晶析設備１および晶析方法は、原液を用いて晶析し、製品としての結晶を製造する設備および方法である。原液は晶析対象成分の溶液であれば特に限定されない。溶液には水溶液のほか有機溶媒溶液も含まれる。晶析は、化学工業、製薬工業などで広く行なわれている分離操作の一つである。晶析対象成分として、例えば、硫酸ニッケル、硫酸アンモニウム、炭酸ナトリウム、カプロラクタム、トレハロースなどが挙げられる。以下、原液として硫酸ニッケル水溶液を用いる場合を例に説明する。
【００１１】
（晶析設備）
晶析設備１は混合槽１１と晶析装置１２とを備えている。混合槽１１には原液と後述の母液および規格外結晶とが供給される。混合槽１１において原液、母液、および規格外結晶を混合し、混合液を得る。混合槽１１から排出された混合液は晶析装置１２に供給される。
【００１２】
晶析装置１２は供給された混合液から晶析対象成分（硫酸ニッケル）を晶析する。晶析装置１２は所定圧力下で硫酸ニッケル水溶液の水分を蒸発させることにより硫酸ニッケル結晶を析出させる。晶析装置１２として、例えばＤＴＢ（Draft Tube Baffle）型連続晶析装置が用いられる。晶析装置１２内部の圧力は真空ポンプなどにより、例えば４〜１２ｋＰａに調整されている。晶析装置１２の内部には硫酸ニッケル水溶液と硫酸ニッケル結晶とが混合されたスラリーが保持されている。晶析装置１２は内部のスラリーを撹拌翼で撹拌しながら晶析を行なう。
【００１３】
晶析装置１２内のスラリーは、水分が蒸発することにより熱が奪われるため液温が低下する。スラリーは晶析装置１２と熱交換器１３との間を循環している。熱交換器１３でスラリーを加熱することにより、晶析装置１２内のスラリーの液温が一定に保たれる。熱交換器１３として、例えばシェルアンドチューブ式熱交換器が用いられる。また、晶析装置１２内のスラリーの液温は例えば３２〜５３℃に保たれる。
【００１４】
晶析装置１２から排出されたスラリーは固液分離装置１４に供給される。固液分離装置１４はスラリーを硫酸ニッケル結晶と母液とに固液分離する。固液分離装置１４で得られた母液は混合槽１１に供給される。一方、固液分離装置１４で得られた硫酸ニッケル結晶は乾燥機１５に供給される。乾燥機１５で水分を除去された硫酸ニッケル結晶は分級装置１６に供給される。
【００１５】
晶析設備１で製造される硫酸ニッケル結晶には、製品として適正な粒径が設定されている。分級装置１６は供給された硫酸ニッケル結晶を規格内の粒径を有する規格内結晶と、規格外の粒径を有する規格外結晶とに分級する。ここで、粒径が下限閾値以上かつ上限閾値以下の適正粒径の結晶を規格内結晶とし、粒径が下限閾値未満の小粒径の結晶、および粒径が上限閾値を超える大粒径の結晶を規格外結晶とすればよい。例えば、規格内結晶の粒径は０．４〜２．０ｍｍが９０重量％を超えるように調整される。一般に、規格外結晶の大部分は小粒径の結晶である。
【００１６】
分級装置１６で得られた規格内結晶は製品として払い出される。一方、分級装置１６で得られた規格外結晶は混合槽１１に供給される。混合槽１１では原液と、固液分離装置１４で得られた母液と、分級装置１６で得られた規格外結晶とが混合される。混合槽１１では規格外結晶の一部が溶解する。溶け残った規格外結晶は晶析装置１２に供給され、結晶成長の起点となる種晶として用いられる。
【００１７】
混合槽１１には温度調整装置１７が設けられている。温度調整装置１７により混合槽１１内の混合液の温度を調整できる。本実施形態の温度調整装置１７は混合液を冷却することも、加熱することもできる。この種の温度調整装置１７として、蛇管式熱交換器、ジャケット式熱交換器、シェルアンドチューブ式熱交換器などが挙げられる。温度調整装置１７として蛇管を用いる場合、蛇管に工水を通せば混合液を冷却できる。蛇管に蒸気を通せば混合液を加熱できる。
【００１８】
温度調整装置１７により混合液の温度を低くすれば、混合液に含まれる規格外結晶の溶解が抑制される。そのため、晶析装置１２に供給される種晶の数を増やすことができる。一方、温度調整装置１７により混合液の温度を高くすれば、混合液に含まれる規格外結晶の溶解が促進される。そのため、晶析装置１２に供給される種晶の数を減らすことができる。このように、混合液の温度を調整することで、晶析装置１２に供給される種晶の数を調整できる。
【００１９】
（スケール）
晶析設備１の操業を継続するにしたがい、晶析装置１２の内壁、熱交換器１３の伝熱面などに結晶が固着する。このようなスケールが発生した場合、晶析設備１の操業を停止してスケールを除去する必要がある。スケールの除去は洗缶操作により行なわれる。洗缶操作は晶析装置１２内へ温水を供給して液温を上昇させつつ撹拌を行なう操作である。固着した結晶を洗缶操作により溶解し除去できる。
【００２０】
スケールが発生したか否かは、例えば、熱交換器１３前後のスラリーの温度差ΔＴが所定温度以上となったか否かにより判断される。ここで、温度差ΔＴは熱交換器１３出口のスラリー温度から熱交換器１３入口のスラリー温度を減算した値である。スケールの発生により熱交換器１３内部の伝熱管が閉塞してくると、熱交換器１３内の流量が減少する。そうすると、スラリーの単位体積当たりに供給される熱量が多くなり、スラリーの温度が上昇しやすくなる。これを利用して、スケールが発生したことを判断できる。例えば、ΔＴが５℃以上となった時点でスケールが発生したと判断して洗缶操作が行なわれる。
【００２１】
一般に、結晶化は、過飽和溶液として溶解した溶質が、溶解度曲線の不安定域において溶液から析出して核が形成される核生成と、その核が成長する核成長の二段階で行なわれる。溶液中に種晶が存在すると溶質は種晶の成長に供されやすくなる。したがって、溶液中に十分な数の種晶が存在すれば、核生成が抑制される。換言すれば、溶液中の種晶の数が少ないと、核生成が生じやすい。特に、壁などの界面では不均一核生成による核生成が起こりやすい。さらに、流速が遅い晶析装置１２の内壁、壁との接触頻度が高い熱交換器１３の伝熱面は、それ以外の場所よりも相対的に核が生成しやすい。その核が成長することでスケールが発生すると考えられる。
【００２２】
これに対して、温度調整装置１７により混合液の温度を低くすれば、晶析装置１２に供給される種晶の数を増やすことができる。そうすると、晶析装置１２内における核生成を抑制でき、スケールの発生を抑制できる。スケールの発生を抑制できることから、洗缶操作の頻度を低減できる。
【００２３】
（規格内結晶）
一方、晶析装置１２に供給される種晶の数が多すぎると、溶液中の溶質が多数の種晶の成長に供されることとなるため、個々の種晶が適正な粒径まで成長するのに長時間を要する。換言すれば、個々の種晶の成長が抑制され、晶析装置１２から排出される結晶の粒径が小さくなる。
【００２４】
この場合、温度調整装置１７により混合液の温度を高くして、晶析装置１２に供給される種晶の数を減らせばよい。種晶の数を減らすことで、個々の種晶の成長を促進できる。その結果、晶析装置１２から排出されるスラリー中の結晶の粒径を大きくすることができる。
【００２５】
混合液の温度は、スケールの発生を抑制しつつ、規格内結晶を生成できるように調整される。そうすれば、硫酸ニッケル結晶の製造において、スケールの発生を抑制でき、また、適正な粒度の結晶を効率よく製造できる。
【００２６】
〔その他の実施形態〕
温度調整装置１７として、専ら混合液を冷却するのに用いられる冷却装置を用いてもよい。この種の冷却装置として蛇管式熱交換器、ジャケット式熱交換器、シェルアンドチューブ式熱交換器などの熱交換器に冷媒を通過させる構成が挙げられる。冷媒として、水のほか、冷却されたエチレングリコールなどを用いることができる。また、冷却装置として、例えば、一般的な空冷式の冷却塔などを用いてもよい。混合液の温度調整を行なわない状態においてスケールが発生しやすい場合には、温度調整装置１７として冷却装置を用いればよい。
【００２７】
冷却装置により混合液の温度を低くできる。混合液に含まれる規格外結晶の溶解が抑制され、晶析装置１２に供給される種晶の数を増やすことができ、スケールの発生を抑制できる。
【００２８】
温度調整装置１７として、専ら混合液を加熱するのに用いられる加熱装置を用いてもよい。この種の加熱装置として蛇管式熱交換器、ジャケット式熱交換器、シェルアンドチューブ式熱交換器などの熱交換器に蒸気などの加熱用の熱媒体を通過させる構成が挙げられる。また、加熱装置として蒸気を直接液中に吹込む装置、電熱式加熱装置などが挙げられる。混合液の温度調整を行なわない状態において規格外結晶が多い場合には、温度調整装置１７として加熱装置を用いればよい。
【００２９】
加熱装置により混合液の温度を高くできる。混合液に含まれる規格外結晶の溶解が促進され、晶析装置１２に供給される種晶の数を減らすことができ、晶析装置１２から排出されるスラリー中の結晶の粒径を大きくすることができる。そのため、適正な粒径の結晶を効率よく製造できる。
【実施例】
【００３０】
つぎに、実施例を説明する。
図１に示す晶析設備１を用いて、硫酸ニッケル水溶液から硫酸ニッケル結晶を得る操業を行なった。熱交換器１３としてシェルアンドチューブ式熱交換器を用いた。熱交換器１３に熱媒体として蒸気を供給した。熱交換器１３に供給する蒸気の流量を一定とした。スケールが発生した時点で晶析設備１の操業を一時停止し、洗缶操作を行なった。スケールの発生は熱交換器１３前後のスラリーの温度差ΔＴが５℃以上となったことにより判断した。
【００３１】
洗缶操作から次の洗缶操作までの期間（以下、連続操業期間と称する。）において、熱交換器１３が使用した蒸気の量（以下、積算蒸気量と称する。）を求めた。積算蒸気量は一の連続操業期間の長さを意味する。積算蒸気量が多いほど、連続操業期間が長く、スケールの発生が抑制できているといえる。
【００３２】
温度調整装置１７により混合槽１１内の混合液の温度を４５℃に調整して操業を行なった。この操業には複数の連続操業期間が含まれる。つぎに、温度調整装置１７により混合槽１１内の混合液の温度を４２℃に調整して操業を行なった。この操業には複数の連続操業期間が含まれる。各連続操業期間において、原液のニッケル濃度を測定した。
【００３３】
図２のグラフに原液のニッケル濃度と積算蒸気量との関係を示す。図２より、混合液の温度が４５℃の場合も、４２℃の場合も、原液のニッケル濃度が高いほど、積算蒸気量が多くなることが分かる。また、いずれのニッケル濃度においても、混合液の温度が４５℃の場合よりも、４２℃の場合の方が、積算蒸気量が多くなることが分かる。これより、混合液の温度を低くすることにより、スケールの発生が抑制され、連続操業期間を長くできることが確認された。
【００３４】
つぎに、混合液の温度を４４℃に調整した。この場合、混合液中の種晶比率は１０〜３０重量％であった。また、混合液中の種晶の粒度分布は１ｍｍ以下が６０〜７０重量％であった。つぎに、混合液の温度を４６℃に調整した。混合液中の種晶比率は５〜１０重量％であった。また、混合液中の種晶の粒度分布は１ｍｍ以下が２０〜３０重量％であった。これより、混合液を４４℃から４６℃に昇温するだけで、特に１ｍｍ以下の細粒部が大量に溶解することが分かった。
【００３５】
温度調整装置１７を用いた長期間の操業により、混合液の温度は４０〜４４℃が好ましいことが分かった。温度調整を行なわない場合、混合液の温度は冬場だと約３９℃、夏場だと約４５℃となる。混合槽１１内に設けられた蛇管に蒸気供給ラインと冷却水供給ラインとを接続した。冬場は蒸気による加熱、夏場は冷却水による冷却を行なうことで、混合液の温度を適正範囲に維持することができた。
【符号の説明】
【００３６】
１    晶析設備
１１  混合槽
１２  晶析装置
１３  熱交換器
１４  固液分離装置
１５  乾燥機
１６  分級装置
１７  温度調整装置
【図１】
2019156654.tif 000003
【図２】
2019156654.tif 000004